(57)【特許請求の範囲】
【請求項１】
昇降自在なシートクッションと、
前記シートクッションの下側の側方を覆う側部カバーとを備え、
前記シートクッションの昇降に伴って、前記シートクッションと前記側部カバーとの上下方向の隙間が拡大縮小する車両用シートであって、
前記隙間を遮蔽する遮蔽部材が、前記シートクッションと一体に昇降可能に前記シートクッションの側部に設けられて、前記隙間が、縮小状態と拡大状態とにわたって遮蔽されるよう構成され、
側部カバー本体部のシート前方側の上端部から上方に立ち上がり、前記遮蔽部材のシート幅方向内側に位置する遮蔽壁部が前記側部カバーに設けられ、
前記側部カバー本体部のシート前方側の上端部に上下方向に開口するスリットが形成されており、
前記遮蔽部材のシート前方側の端部が前記スリットに挿入されている車両用シート。
【請求項２】
前記側部カバーの遮蔽壁部のシート後方側の端縁が、前記遮蔽部材のシート前方側の端縁のシート前後方向における移動範囲よりもシート後方側に位置している請求項１記載の車両用シート。
【請求項３】
前記遮蔽部材の下端部の厚さが前記スリットの幅よりも厚く設定されている請求項１又は２記載の車両用シート。
【発明の詳細な説明】
【技術分野】
【０００１】
本発明は車両用シートに関する。
【背景技術】
【０００２】
一般に、車両用シートのシートクッションは、乗員の体格に合わせて座面の高さを変更調節できるように昇降自在に構成されている。また、車両用シートには、シートクッションの下側の側方を覆う側部カバーが設けられている。
このような構造においては、シートクッションの昇降に伴って、シートクッションと側部カバーとの上下方向の隙間が拡大縮小する。この隙間を通してシートクッションの下方の内部機構が見えると見栄えがよくない。特に、前記隙間が拡大したときには、前記内部機構が見えやすくなることから、隙間を縮小状態と拡大状態とにわたって確実に遮蔽する必要がある。
そこで、従来、特許文献１に開示された技術が提案されていた。この技術では、前記側部カバーが、位置固定された下側カバーと、リフタ機構の作動により昇降する上側カバーとに上下に分割されている。また、下側カバーの上部と上側カバーの下部がシート幅方向で互いに重なっている。そして、上側カバーの全昇降ストロークにおいて下側カバーの上部と上側カバーの下部の重なり状態が解除されないように、下側カバーの上部と上側カバーの下部の重なり代が設定されている。
【先行技術文献】
【特許文献】
【０００３】
【特許文献１】特開２０１２−１３１２７５号公報
【発明の概要】
【発明が解決しようとする課題】
【０００４】
しかしながら、昨今、シートクッションのリフタ量（昇降量）が大きくなっている。そして、上記従来の構造では、上側カバーと下側カバーとの重ね合わせ量も大きくなる。そのために、前記拡大縮小する隙間を確実に遮蔽するには、側部カバーを大型化しなければならず、側部カバーの小型化が望まれていた。
また、リフタ機構によっては、リフタ機構が上昇駆動するにしたがって、シートクッションがシート前後方向にも移動する。つまり、シートクッションが斜め前上方に向かって上昇する。このような構造においても、前記隙間を常に遮蔽することができる構造が望まれる。
本発明の目的は、側部カバーを小型化でき、シートクッションがどの高さにあってもシートクッションと側部カバーとの上下方向の隙間を遮蔽することができる車両用シートを提供する点にある。
【課題を解決するための手段】
【０００５】
本発明の特徴は、
昇降自在なシートクッションと、
前記シートクッションの下側の側方を覆う側部カバーとを備え、
前記シートクッションの昇降に伴って、前記シートクッションと前記側部カバーとの上下方向の隙間が拡大縮小する車両用シートであって、
前記隙間を遮蔽する遮蔽部材が、前記シートクッションと一体に昇降可能に前記シートクッションの側部に設けられて、前記隙間が、縮小状態と拡大状態とにわたって遮蔽されるよう構成され、
側部カバー本体部のシート前方側の上端部から上方に立ち上がり、前記遮蔽部材のシート幅方向内側に位置する遮蔽壁部が前記側部カバーに設けられ、
前記側部カバー本体部のシート前方側の上端部に上下方向に開口するスリットが形成されており、
前記遮蔽部材のシート前方側の端部が前記スリットに挿入されている点にある。
【発明の効果】
【０００６】
本発明によれば、側部カバーを小型化でき、シートクッションがどの高さにあってもシートクッションと側部カバーとの上下方向の隙間を遮蔽することができる車両用シートを提供することができる。
【図面の簡単な説明】
【０００７】
【図１】車両用シート（フロントシート）の側面図
【図２】側部カバーの側面図
【図３】側部カバーの斜視図
【図４】（ａ）は、シートクッションが最も低い位置に位置した状態のシート前部を示す斜視図、（ｂ）は、シートクッションが最も高い位置に位置した状態のシート前部を示す斜視図
【図５】（ａ）は、シートクッションが最も低い位置に位置した状態のシート下部を示す側面図（側部カバーは省略）、（ｂ）は、シートクッションが上下方向中間部に位置した状態のシート下部を示す側面図（側部カバーは省略）、（ｃ）は、シートクッションが最も高い位置に位置した状態のシート下部を示す側面図（側部カバーは省略）
【図６】図１のＢ−Ｂ断面図
【発明を実施するための形態】
【０００８】
本発明においては、シートクッションと一体に昇降可能にシートクッションの側部に設けた遮蔽部材で、シートクッションと側部カバーとの上下方向の隙間を、縮小状態と拡大状態とにわたって遮蔽するようにしている。
【実施例】
【０００９】
以下、本発明の実施例を図面に基づいて説明する。
図１に、自動車のフロントシート１（車両用シートに相当し、以下、「シート１」と称する）を示してある。このシート１は、乗員の臀部及び大腿部を支持するシートクッション２と、乗員の腰部及び背中を支持するシートバック３と、乗員の頭部を支持するヘッドレスト４とを備えている。
【００１０】
本実施例では、各部材のシート前方側Ｆｒの端部を前端部、シート後方側Ｒｒの端部を後端部、シート前方側Ｆｒの端縁を前端、シート後方側Ｒｒの端縁を後端と称する。
【００１１】
［シートクッション２の構造］
図１，図６に示すように、シートクッション２は、シートフレーム５と、シートフレーム５に支持されるシートクッションパッド４５と、シートクッションパッド４５を覆う表皮材４６とを備えている。シートクッションパッド４５は発泡ウレタンで形成されている。
【００１２】
図５（ａ）〜図５（ｃ）に示すように、シートクッション２をシートバック３（図１参照）と一体に昇降させてシートクッション２の座面の高さを変更調節するリフタ機構７がシートフレーム５に連結されている。このようにシートクッション２は昇降自在である。
【００１３】
リフタ機構７は、横軸芯Ｏ周りに揺動する前後一対のリンク部材２１，２２を備えたリンク機構で構成されている。前後一対のリンク部材２１，２２は、上端部がシートフレーム５に横軸芯Ｏ周りに回転自在に連結され、下端部が基台８に横軸芯Ｏ周りに回転自在に連結されている。リフタ機構７は乗員が操作レバー９を操作することで昇降駆動する。
【００１４】
図５（ａ）に、シートクッション２が最も低い位置に位置する状態を示してある。また、図５（ｂ）に，シートクッション２が上下方向中間位置に位置する状態を示し、図５（ｃ）に，シートクッション２が最も高い位置に位置する状態を示してある。リフタ機構７が上昇駆動すると、シートクッション２は、略水平姿勢で斜め前上方に向かって上昇する。リフタ機構７が下降駆動すると、シートクッション２は、略水平姿勢で斜め後下方に向かって下降する。
【００１５】
［側部カバー１０の構造］
図１〜図３に示すように、シート１は、シートクッション２の下側の側方を覆う樹脂製の左右一対の側部カバー１０を備えている。側部カバー１０は、シート幅方向内側Ｗ１（シート幅方向中央側）の内面から突出するクリップ（図示せず）を備え、このクリップを介して基台８に係合連結されている。
【００１６】
シートクッション２と側部カバー１０との間には上下方向の隙間が形成されている。側部カバー１０は位置固定状態にあることから、前記隙間は、シートクッション２が上昇するに伴って拡大し、シートクッション２が下降するに伴って縮小する。
【００１７】
図３に示すように、側部カバー１０の前端部と後端部とは、シート幅方向内側Ｗ１に折れ曲がっている。これにより、側部カバー１０に前壁１２と後壁１３が形成されている。また、側部カバー１０の上端部がシート幅方向内側Ｗ１に折れ曲がって上側フランジ１７が形成されている。図２に示すように、前壁１２は、上側ほどシート後方側Ｒｒに位置するように傾斜し、後壁１３は、上側ほどシート前方側Ｆｒに位置するように傾斜している。
【００１８】
図１〜図３に示すように、操作レバー９の操作用空間と、ヒンジカバー１９の受け入れ空間とを形成する凹部１８が側部カバー本体部１１の上部に形成されている。凹部１８は、シート幅方向内側Ｗ１に凹んでおり、上側が開放している。また、この凹部１８はシート前後方向に長く形成されている。側部カバー本体部１１は、シート後方側Ｒｒの凹部部分が、シート前方側Ｆｒの凹部部分よりも一段下がった段差状に形成されている。
【００１９】
［垂れ幕３０（遮蔽部材に相当）の構造］
図１に示すように、前記隙間を遮蔽する垂れ幕３０が、シートクッション２と一体に昇降可能にシートクッション２の側部に設けられている。そして、前記隙間が、縮小状態と拡大状態とにわたって常に垂れ幕３０により遮蔽されるよう構成されている。垂れ幕３０は前記表皮材４６（図６参照）と同一素材によってシート前後方向に長い長方形状に形成されて、垂れ幕３０の上端部が、シートクッション２の側部の下端部の表皮材４６に縫着されている（図６参照、符号Ｚが縫着部である）。
【００２０】
詳しくは、図６に示すように、断面Ｊ字状の係合フック４７が縫着された連結部材４８の一端部と表皮材４６の下端部とが垂れ幕３０の上端部を挟み込んだ状態で、連結部材４８の一端部と表皮材４６の下端部と垂れ幕３０の上端部とが一体に縫着されている。連結部材４８は表皮材４６と同一素材で形成されている。係合フック４７はシートフレーム５の端部に係合している。
【００２１】
垂れ幕３０の下部は、側部カバー１０のシート幅方向内側Ｗ１に位置する。また、垂れ幕３０の下端部は、他部材に固定されていない自由な状態にあり、シートクッション２が最も高い位置に位置した状態において、側部カバー１０の上端部よりも下方に位置している。
【００２２】
［遮蔽壁部１４の構造］
図３，図４（ａ）に示すように、側部カバー本体部１１のシート前方側Ｆｒの上端部から上方に立ち上がり、垂れ幕３０のシート幅方向内側Ｗ１に位置する遮蔽壁部１４が側部カバー１０に設けられている。遮蔽壁部１４は、シート前後方向に沿う第１壁１５と、第１壁１５の前端部からシート幅方向内側Ｗ１に延びる第２壁１６とから成る。第２壁１６は前記前壁１２の上端部から上方に立ち上がっている。
【００２３】
そして、側部カバー本体部１１のシート前方側Ｆｒの上端部に、上下方向及びシート後方側Ｒｒに開口するスリット２５が、シート前後方向に沿って形成されている。このスリット２５に垂れ幕３０の前端部が上方から挿入されている。
【００２４】
図４（ａ）に示すように、シートクッション２が最も低い位置にある状態で、垂れ幕３０の前端３０Ａが最もシート後方側Ｒｒ（垂れ幕３０の前端３０Ａのシート前後方向における移動範囲Ａの後端）に位置する。そして、この位置よりもシート後方側Ｒｒまで遮蔽壁部１４の第１壁１５が延びている。すなわち、第１壁１５の後端１５Ｂが、垂れ幕３０の前端３０Ａのシート前後方向における移動範囲Ａよりもシート後方側Ｒｒに位置している。図４（ｂ）に示すように、垂れ幕３０の前端３０Ａは、シートクッション２が最も高い位置にあるときに、スリット２５の前端２５Ａ（先端）に当接している。
【００２５】
本発明によれば、シートクッション２と側部カバー１０との上下方向の隙間が縮小状態と拡大状態に変化しても、垂れ幕３０がシートクッション２と一体に昇降して前記隙間を遮蔽する。
これにより、シートクッション２がどの高さにあっても、隙間を垂れ幕３０で常に遮蔽して、シート１の内部機構が見えなくすることができ、見栄えをよくすることができる。
また、垂れ幕３０の下端部は、他部材に固定されていない自由な状態にあるから、垂れ幕３０にしわがよらず、垂れ幕３０を上下に伸縮するようにした構造に比べて見栄えをよくすることができる。
さらに、上下二つの側部カバーで前記拡大縮小する隙間を遮蔽する構造に比べると、側部カバー１０を小型化することができる。
そして、シートクッション２が斜め上下方向に昇降する際には、垂れ幕３０の前端部がスリット２５内をシート前後方向に移動する。従って、垂れ幕３０が側部カバー１０に引っ掛かる不具合や、垂れ幕３０にしわがよる等の外観上の不具合を防止することができる。
また、遮蔽壁部１４と垂れ幕３０の重なり部分においては、垂れ幕３０を遮蔽壁部１４でシート幅方向内側Ｗ１から受け止めて、垂れ幕３０がシート１のシート幅方向内側Ｗ１に入り込むことを防止することができる。
前記重なり部分は、乗員の手足等が触れやすいシートクッション２の前端部側に位置しているから、乗員が触れた垂れ幕３０が、シート１のシート幅方向内側Ｗ１に入り込むことをより確実に防止することができる。
上記のように、本発明によれば、側部カバー１０を小型化でき、シートクッション２がどの高さにあってもシートクッション２と側部カバー１０との上下方向の隙間を遮蔽することができるシート１を提供することができる。
【００２６】
前述のように、第１壁１５の後端１５Ｂが、垂れ幕３０の前端３０Ａのシート前後方向における移動範囲Ａよりもシート後方側Ｒｒに位置している。従って、遮蔽壁部１４と垂れ幕３０の重なり部分において垂れ幕３０がシート１のシート幅方向内側Ｗ１に入り込むことを防止できる効果をより高めることができる。
【００２７】
[別実施例]
（１）  前記垂れ幕３０の下端部の厚さがスリット２５の幅よりも厚く設定されていてもよい。その手段としては、例えば、垂れ幕３０の下端部に厚みのある部材を取り付ける手段や、垂れ幕３０の下端部を１回又は複数回折り返し、互いに重なり合った垂れ幕３０の下端部同士を縫着する手段がある。
この構成によれば、乗員の手足等が垂れ幕３０に触れる等して垂れ幕３０が引っ張り上げられた場合、垂れ幕３０の下端部がスリット２５に引っ掛かる。従って、垂れ幕３０が側部カバー１０から上方に抜け出ることがなく、前記隙間を垂れ幕３０で常に遮蔽することができる。
また、垂れ幕３０の下端部に重りを連結しておくことで、垂れ幕３０にしわがよる等の不具合をより確実に防止できて、外観品質を向上させることができる。
【００２８】
（２）  前記垂れ幕３０の前端３０Ａをシートクッション２の昇降軌跡に沿う円弧状に形成してあってもよい。この構成によれば、シートクッション２を下降させたときに側部カバー１０の垂れ幕３０が露出する面積を減らすことができる。
【００２９】
（３）  図６に示すように、側部カバー１０の上側フランジ１７のシート幅方向内側Ｗ１の端縁１７Ｔは、シートクッションパッド４５の側面４５Ｍよりもシート幅方向内側Ｗ１に位置している。この構造において、前記縫着部Ｚが、シートクッションパッド４５の下側の角部４５Ｋよりもシート幅方向内側Ｗ１に配置されている構造であってもよい。この構成によれば、垂れ幕３０が、側部カバー１０の上端部の上側フランジ１７の端縁１７Ｔによりシート幅方向内側Ｗ１に押圧されることがない。従って、垂れ幕３０のしわの発生を防止することができ、シートクッション２の外観品質を向上させることができる。
【００３０】
以上、本発明の実施形態及び実施例を説明したが、上記実施形態及び実施例は、例として提示しており、発明の範囲を限定することは意図していない。
【符号の説明】
【００３１】
２          シートクッション
１０          側部カバー
１１          側部カバー本体部
１４          遮蔽壁部
１５Ｂ        遮蔽壁部のシート後方側の端縁（後端）
２５          スリット
３０          遮蔽部材（垂れ幕）
３０Ａ        遮蔽部材のシート前方側の端縁（前端）
Ａ            移動範囲
Ｆｒ          シート前方側
Ｒｒ          シート後方側
Ｗ１          シート幅方向内側
【図１】
0006593599.tif 000002
【図２】
0006593599.tif 000003
【図３】
0006593599.tif 000004
【図４】
0006593599.tif 000005
【図５】
0006593599.tif 000006
【図６】
0006593599.tif 000007